(57)【要約】【課題】連写にも配慮し、また撮影の時点での位置情報を取得できる記録媒体、写真画像処理システム、及びプログラムを提供する。【解決手段】撮影された写真画像の書込み指示を受け入れて、当該写真画像を所定の画像記憶領域に格納する。写真画像の書込み指示を受け入れたときに、外部の装置に位置情報の要求を行う。所定のタイミングで、位置情報に関する情報が付加されていない写真画像について、当該写真画像の撮影日時やファイル名等の画像識別情報と、記録された位置情報に関連付けられた情報とを比較して、写真画像に対し撮影場所を表す情報を生成して付加する。【選択図】図１
2014081692.tif 000002
【特許請求の範囲】
【請求項１】
画像情報の記録媒体であって、
撮影された写真画像の書込み指示を受け入れて、当該写真画像を所定の画像記憶領域に格納する画像格納手段と、
無線通信手段を介して外部機器と通信する通信手段と、
前記画像格納手段が写真画像の書込み指示を受け入れたときに、前記通信手段を介して位置情報の要求を行う位置情報要求手段と、
位置情報を受信して、前記受入手段にて写真画像の書込みを受け入れた日時を表す受入日時情報に関連付けて、予め定めた位置情報記憶領域に、写真画像とは別に当該受信した位置情報を格納する位置情報格納手段と、
所定のタイミングで、位置情報に関する情報が付加されていない写真画像を探索し、位置情報に関する情報が付加されていない写真画像が探索されると、当該写真画像の撮影日時と、前記位置情報記憶領域に格納された位置情報に関連付けられた受入日時情報とを比較して、それらの差が予め定めた範囲内であり、かつ、差が最も小さい位置情報に基づいて、前記探索された写真画像に対し撮影場所を表す情報を生成して付加する関連付け手段と、
を備えた記録媒体。
【請求項２】
請求項１記載の記録媒体であって、
読出し要求により前記画像記憶領域から読み出される写真画像に対し、読み出しが行われたことを表す情報を付加する手段をさらに含み、
前記関連付け手段は、読み出しが行われたことを表す情報が付加されていない写真画像であって、位置情報に関する情報が付加されていない写真画像を探索する記録媒体。
【請求項３】
記録媒体と、当該記録媒体と無線通信手段を介して通信する携帯端末とを含む写真画像処理システムであって、
記録媒体が
撮影された写真画像の書込み指示を受け入れて、当該書込みの対象となった写真画像を識別する画像識別情報と、当該写真画像とを関連付けて、所定の画像記憶領域に格納する画像格納手段と、
無線通信手段を介して前記携帯端末と通信する通信手段と、
前記画像格納手段が写真画像の書込み指示を受け入れたときに、前記通信手段を介して前記画像識別情報を含む位置情報の要求を送出する位置情報要求手段と、
を含み、
前記携帯端末は、
前記記録媒体から画像識別情報を含んだ位置情報の要求を受信する受信手段と、
前記要求に応答して位置情報を取得する位置情報取得手段と、
当該取得した位置情報と、前記受信した画像識別情報とを関連付けて記録する記録手段と、
を有し、
前記画像識別情報に関連付けて携帯端末にて記録された位置情報が、当該画像識別情報と同じ画像識別情報に関連付けて前記記録媒体に格納された写真画像が撮影された位置情報の生成処理に供される写真画像処理システム。
【請求項４】
撮影された写真画像の書込み指示を受け入れて、当該書込みの対象となった写真画像を識別する画像識別情報を発行し、当該画像識別情報と書込みの対象となった写真画像とを関連付けて、所定の画像記憶領域に格納する画像格納手段と、
無線通信手段を介して外部機器と通信する通信手段と、
前記画像格納手段が写真画像の書込み指示を受け入れたときに、前記通信手段を介して前記発行した画像識別情報含む位置情報を送出し、当該画像識別情報と位置情報とを関連付けて外部機器に記録させる位置情報要求手段と、
を含む記録媒体であって、
前記画像識別情報に関連付けて外部機器にて記録された位置情報が、当該画像識別情報と同じ画像識別情報に関連付けて格納された写真画像が撮影された位置情報の生成処理に供される記録媒体。
【請求項５】
請求項４記載の記録媒体であって、
前記画像識別情報は、前記写真画像のファイル名である。
【請求項６】
請求項４記載の記録媒体であって、
前記画像識別情報は、所定のタイミングごとに発行され、発行ごとに互いに異なる識別情報である。
【請求項７】
コンピュータを、
撮影された写真画像の書込み指示を受け入れて、当該写真画像を所定の画像記憶領域に格納する画像格納手段と、
無線通信手段を介して外部機器と通信する通信手段と、
前記画像格納手段が写真画像の書込み指示を受け入れたときに、前記通信手段を介して位置情報の要求を行う位置情報要求手段と、
位置情報を受信して、前記受入手段にて写真画像の書込み受け入れた日時を表す受入日時情報に関連付けて、予め定めた位置情報記憶領域に、写真画像とは別に当該受信した位置情報を格納する位置情報格納手段と、
所定のタイミングで、位置情報に関する情報が付加されていない写真画像を探索し、位置情報に関する情報が付加されていない写真画像が探索されると、当該写真画像の撮影日時と、前記位置情報記憶領域に格納された位置情報に関連付けられた受入日時情報とを比較して、それらの差が予め定めた範囲内であり、かつ、差が最も小さい位置情報に基づいて、前記探索された写真画像に対し撮影場所を表す情報を生成して付加する関連付け手段と、
として機能させるプログラム。
【請求項８】
コンピュータを、
撮影された写真画像の書込み指示を受け入れて、当該書込みの対象となった写真画像を識別する画像識別情報を発行し、当該画像識別情報と書込みの対象となった写真画像とを関連付けて、所定の画像記憶領域に格納する画像格納手段と、
無線通信手段を介して外部機器と通信する通信手段と、
前記画像格納手段が写真画像の書込み指示を受け入れたときに、前記通信手段を介して前記発行した画像識別情報を含んだ位置情報の要求を送出し、当該画像識別情報と位置情報とを関連付けて外部機器に記録させる位置情報要求手段と、
として機能させるプログラム。
【発明の詳細な説明】
【技術分野】
【０００１】
本発明は、記録媒体、写真画像処理システム、及びプログラムに関する。
【背景技術】
【０００２】
近年では携帯電話機等にカメラが搭載されて広く使われている。カメラを備えた携帯電話機においては、例えばＧＰＳ（Global Positioning System）等の位置情報取得機能を有したものもあり、カメラにて画像を撮影したときに、これら位置情報取得機能によって位置情報を取得し、撮影した画像に取得した位置情報を関連付けて記録することが行われている。こうした位置情報は、撮影した場所を後から検索するのに便利であり、一般に広く利用されている。
【０００３】
一方で、いわゆるデジタルカメラは、携帯電話機のカメラよりも高精細な画像が撮影できるものの、位置情報を関連付ける機能についてはオプションとして提供されることが多く、あまり普及していないのが現状である。
【０００４】
特許文献１には、写真撮影ごとに、カメラが、近くにある携帯電話機と無線通信し、携帯電話機で測位して得た位置情報を取得する技術が開示されている。また、特許文献２にはＧＰＳロガー（所定のタイミングごとに位置情報を記録する装置）にて記録された位置情報と、別途カメラで撮影された画像情報とを、撮影日時をキーとして後から関連付ける技術が開示されている。
【先行技術文献】
【特許文献】
【０００５】
【特許文献１】特開２００３-２０４５７１号公報
【特許文献２】特開２００１-０２８７２８号公報
【発明の概要】
【発明が解決しようとする課題】
【０００６】
しかしながら、上記従来の技術において、例えば撮影ごとに位置情報を取得するようにしたのでは、連写等が行われたときに位置情報を一々取得することとなって通信や位置情報の取得に係る処理の負担が大きくなる。また、撮影日時をキーとして位置情報を後から関連付ける方法では、例えばＧＰＳロガーが撮影時にカメラの近くにあったときには問題がないが、これらが別々に持ち出されていた場合には誤った位置情報が関連付けられてしまう。
【０００７】
本発明は上記実情に鑑みて為されたもので、連写にも配慮し、また撮影の時点での位置情報を取得できる記録媒体、写真画像処理システム、及びプログラムを提供することを、その目的の一つとする。
【課題を解決するための手段】
【０００８】
上記従来例の問題点を解決するための本発明は、画像情報の記録媒体であって、撮影された写真画像の書込み指示を受け入れて、当該写真画像を所定の画像記憶領域に格納する画像格納手段と、無線通信手段を介して外部機器と通信する通信手段と、前記画像格納手段が写真画像の書込み指示を受け入れたときに、前記通信手段を介して位置情報の要求を行う位置情報要求手段と、位置情報を受信して、前記受入手段にて写真画像の書込みを受け入れた日時を表す受入日時情報に関連付けて、予め定めた位置情報記憶領域に、写真画像とは別に当該受信した位置情報を格納する位置情報格納手段と、所定のタイミングで、位置情報に関する情報が付加されていない写真画像を探索し、位置情報に関する情報が付加されていない写真画像が探索されると、当該写真画像の撮影日時と、前記位置情報記憶領域に格納された位置情報に関連付けられた受入日時情報とを比較して、それらの差が予め定めた範囲内であり、かつ、差が最も小さい位置情報に基づいて、前記探索された写真画像に対し撮影場所を表す情報を生成して付加する関連付け手段と、を備えたものである。
【０００９】
このように写真画像の書込み指示受け入れ時に位置情報の要求を無線通信手段を介して通信可能な外部の装置に対して行い、取得した位置情報を用いて後の所定のタイミングで撮影場所を表す情報を生成して関連付けることで、連写にも配慮しつつ、撮影の時点での位置情報を取得可能となる。
【００１０】
またここで読出し要求により前記画像記憶領域から読み出される写真画像に対し、読み出しが行われたことを表す情報を付加する手段をさらに含み、前記関連付け手段は、読み出しが行われたことを表す情報が付加されていない写真画像であって、位置情報に関する情報が付加されていない写真画像を探索することとしてもよい。これによって読み出されていない写真画像のうちから位置情報に関する情報が関連付けられていない写真画像を探索することとなる。
【００１１】
また本発明の一態様は、記録媒体と、当該記録媒体と無線通信手段を介して通信する携帯端末とを含む写真画像処理システムであって、記録媒体が撮影された写真画像の書込み指示を受け入れて、当該書込みの対象となった写真画像を識別する画像識別情報と、当該写真画像とを関連付けて、所定の画像記憶領域に格納する画像格納手段と、無線通信手段を介して前記携帯端末と通信する通信手段と、前記画像格納手段が写真画像の書込み指示を受け入れたときに、前記通信手段を介して前記画像識別情報を含む位置情報の要求を送出する位置情報要求手段と、を含み、前記携帯端末は、前記記録媒体から画像識別情報を含んだ位置情報の要求とを受信する受信手段と、前記要求に応答して位置情報を取得する位置情報取得手段と、当該取得した位置情報と、前記受信した画像識別情報とを関連付けて記録する記録手段と、を有し、前記画像識別情報に関連付けて携帯端末にて記録された位置情報が、当該画像識別情報と同じ画像識別情報に関連付けて前記記録媒体に格納された写真画像が撮影された位置情報の生成処理に供されることとしたものである。
【００１２】
このように写真画像の書込み指示受け入れ時には写真画像を識別する識別情報を含む位置情報の要求を無線通信手段を介して通信可能な外部の装置に対して送出することで、連写時にも処理負荷を抑えることができ、またその時点で取得された位置情報を用いて後の所定のタイミングで撮影場所を表す情報を生成して関連付けることが可能となる。
【００１３】
また本発明の別の態様は、記録媒体であって、撮影された写真画像の書込み指示を受け入れて、当該書込みの対象となった写真画像を識別する画像識別情報を発行し、当該画像識別情報と書込みの対象となった写真画像とを関連付けて、所定の画像記憶領域に格納する画像格納手段と、無線通信手段を介して外部機器と通信する通信手段と、前記画像格納手段が写真画像の書込み指示を受け入れたときに、前記通信手段を介して前記発行した画像識別情報含む位置情報を送出し、当該画像識別情報と位置情報とを関連付けて外部機器に記録させる位置情報要求手段と、を含み、前記画像識別情報に関連付けて外部機器にて記録された位置情報が、当該画像識別情報と同じ画像識別情報に関連付けて格納された写真画像が撮影された位置情報の生成処理に供されることとしたものである。
【００１４】
ここで前記画像識別情報は、前記写真画像のファイル名であってもよいし、前記画像識別情報は、所定のタイミングごとに発行され、発行ごとに互いに異なる識別情報であってもよい。
【００１５】
さらに本発明の別の態様はプログラムであって、コンピュータを、撮影された写真画像の書込み指示を受け入れて、当該写真画像を所定の画像記憶領域に格納する画像格納手段と、無線通信手段を介して外部機器と通信する通信手段と、前記画像格納手段が写真画像の書込み指示を受け入れたときに、前記通信手段を介して位置情報の要求を行う位置情報要求手段と、位置情報を受信して、前記受入手段にて写真画像の書込み受け入れた日時を表す受入日時情報に関連付けて、予め定めた位置情報記憶領域に、写真画像とは別に当該受信した位置情報を格納する位置情報格納手段と、所定のタイミングで、位置情報に関する情報が付加されていない写真画像を探索し、位置情報に関する情報が付加されていない写真画像が探索されると、当該写真画像の撮影日時と、前記位置情報記憶領域に格納された位置情報に関連付けられた受入日時情報とを比較して、それらの差が予め定めた範囲内であり、かつ、差が最も小さい位置情報に基づいて、前記探索された写真画像に対し撮影場所を表す情報を生成して関連付ける関連付け手段と、として機能させることとしたものである。
【００１６】
さらにまた本発明の別の態様はプログラムであって、コンピュータを、撮影された写真画像の書込み指示を受け入れて、当該書込みの対象となった写真画像を識別する画像識別情報を発行し、当該画像識別情報と書込みの対象となった写真画像とを関連付けて、所定の画像記憶領域に格納する画像格納手段と、無線通信手段を介して外部機器と通信する通信手段と、前記画像格納手段が写真画像の書込み指示を受け入れたときに、前記通信手段を介して前記発行した画像識別情報を含んだ位置情報の要求を送出し、当該画像識別情報と位置情報とを関連付けて外部機器に記録させる位置情報要求手段と、として機能させることとしたものである。
【発明の効果】
【００１７】
本発明によると、連写にも配慮し、また撮影の時点での位置情報を取得できる。
【図面の簡単な説明】
【００１８】
【図１】本発明の実施の形態に係る写真画像処理システムの構成例を表すブロック図である。
【図２】本発明の実施の形態に係る記録媒体の例を表す機能ブロック図である。
【図３】本発明の実施の形態に係る記録媒体が保持する位置情報記録領域の内容例を表す説明図である。
【図４】本発明の実施の形態に係る記録媒体の処理例を表すフローチャート図である。
【図５】本発明の実施の形態の別の例に係る写真画像処理システムの構成例を表すブロック図である。
【図６】本発明の実施の形態の別の例に係る記録媒体の例を表す機能ブロック図である。
【図７】本発明の実施の形態の別の例に係る記録媒体からの指示により生成される位置情報の記録内容を表す説明図である。
【発明を実施するための形態】
【００１９】
本発明の実施の形態について図面を参照しながら説明する。本発明の実施の形態に係る記録媒体１は、例えばＳＤカード規格等に従って製造される記録媒体であり、図１に例示するように、インタフェース部１１、制御部１２、記憶部１３、及び通信部１４を含んで構成されている。また本実施の形態では、この記録媒体１は、カメラ２等の写真画像書込み装置に接続されて用いられる。この記録媒体１は、後に述べるカメラ２等に接続されて利用され、当該カメラ２等から電源の供給を受けて動作する。
【００２０】
また本実施の形態の一例では、この記憶媒体１は、外部機器としての携帯端末３との間で無線通信手段を介して通信可能に接続される。
【００２１】
記録媒体１のインタフェース部１１は、コネクタであり、カメラ２等の写真画像書込み装置に接続される。このインタフェース部１１は、カメラ２等の写真画像書込み装置から写真画像の書込み指示や写真画像の読出し指示を受け入れ、制御部１２に当該指示等を出力する。またこのインタフェース部１１は、制御部１２から入力される指示に従い、写真画像等、種々の情報をカメラ２等に出力する。このインタフェース部１１は、また、いわゆるカードリーダ等、記録媒体１に対して情報を読書きする装置に接続されてもよい。
【００２２】
制御部１２は、マイクロコンピュータ等であり、記憶部１３（または制御部１２が備えるメモリ）に格納されたプログラムに従って動作する。本実施の形態では、この制御部１２は、撮影された写真画像の書込み指示を受け入れて、当該写真画像を記憶部１３の画像記憶領域に格納するとともに、通信部１４に対して位置情報の要求を送出させる。
【００２３】
またこの制御部１２は、通信部１４を介して位置情報を受信すると、写真画像の書込みを受け入れた日時を表す受入日時情報に関連付けて、予め定めた位置情報記憶領域に、写真画像とは別に、当該受信した位置情報を格納する。そして所定のタイミングで、位置情報に関する情報が付加されていない写真画像に対して、当該写真画像の撮影日時と、位置情報記憶領域に格納された位置情報に関連付けられた受入日時情報とを比較して、差が予め定めた範囲内であり、かつ、差が最も小さい位置情報に基づいて当該位置情報に関する情報が付加されていない写真画像に対し、撮影場所を表す情報を生成して関連付ける。この制御部１２の具体的な動作については後に述べる。
【００２４】
記憶部１３は、メモリデバイスであり、制御部１２により実行されるプログラムを保持している。このプログラムは、インタフェース部１１を介して入力される指示により書き込まれることとしてもよい。このプログラムは、ＣＤ-ＲＯＭ等のコンピュータ可読な記録媒体に格納されて提供され、この記憶部１３に格納されたものでもよい。またネットワークを介して配信され、この記憶部１３に格納されたものであってもよい。
【００２５】
またこの記憶部１３は、写真画像を記憶する画像記憶領域と、位置情報を記憶する位置情報記憶領域とを含む。さらにこの記憶部１３は、制御部１２のワークメモリとして動作する領域を備えてもよい。通信部１４は、例えば無線ＬＡＮ（Local Area Network）インタフェースや、ブルートゥース等、無線通信手段を介して外部の機器との間で情報の送受を行う。
【００２６】
カメラ２は、例えば利用者の指示によって写真画像を撮像し、当該撮像した写真画像の書込み指示を、記録媒体１に対して出力する。またこのカメラ２は例えば複数の写真画像を連続的に撮像（連写）し、当該連写により得た複数の写真画像を書き込む書込み指示を、記録媒体１に対して出力する。この連写された写真画像は合成の処理や、一部を選択する等の処理に供されてもよい。
【００２７】
また、記録媒体１が無線通信手段を介して通信する外部の機器となる携帯端末３は、例えば携帯電話機であり、ＧＰＳ等、位置情報を取得する機能を備えている。本実施の形態の一例では、この携帯端末３は、自身が在圏するカバーエリアを構成する、複数の基地局ＢＳのそれぞれとの距離情報を得て、ＧＰＳ衛星からの受信信号とともにこれらの情報を利用して、ＧＰＳ衛星の信号のみを利用する場合よりも短時間での測位が可能であり、かつ精度を高めた位置情報（いわゆるＡＧＰＳ情報）を得ていてもよい。また位置情報の取得手段については、このほかに近隣の無線ＬＡＮの情報を利用するもの（PlaceEngine（登録商標）等）などがあるが、ここではどのような方法であるかは特に限られない。
【００２８】
ここで記録媒体１の制御部１２の動作について述べる。制御部１２は、機能的には、図２に例示するように、画像格納部２１と、通信制御部２２と、位置情報要求部２３と、位置情報格納部２４と、関連付け部２５とを含んで構成される。
【００２９】
この画像格納部２１は、撮影された写真画像の書込み指示を受け入れる。そして当該書込み指示に従って、当該写真画像を記憶部１３内の所定の画像記憶領域に格納する。本実施の形態の一例では、この書込み指示の対象となった写真画像には、撮影日時や書込み指示の日時を表す情報が含まれている。通信制御部２２は、通信部１４を制御して無線にて外部機器である端末装置３との間で種々の情報を送受する。
【００３０】
位置情報要求部２３は、画像格納部２１が写真画像の書込み指示を受け入れたときに、通信制御部２２に対して、位置情報の要求を送出させる。この位置情報要求部２３の動作により、位置情報の要求が端末装置３へ送信され、端末装置３においてこの要求に応答した処理として、位置情報の取得と、記録媒体１への当該位置情報の送信とが行われる。
【００３１】
位置情報格納部２４は、端末装置３から受信した位置情報を受け入れる。そしてこの位置情報格納部２４は、写真画像に含まれる、書込み指示の日時を表す受入日時情報を取り出す。位置情報格納部２４は、当該取り出した受入日時情報に関連付けて、記憶部１３の予め定めた位置情報記憶領域に端末装置３から受信した位置情報を格納する（図３）。このように本実施の形態では、位置情報は写真画像とは別に、記憶部１３に格納される。また本実施の形態の一例では、この位置情報記憶領域はリングバッファであり、最近Ｎ回（Ｎは自然数）分の受信した位置情報が格納される。
【００３２】
関連付け部２５は、予め定められたタイミングで、記憶部１３の画像記憶領域から、位置情報に関する情報が付加されていない写真画像を探索する。関連付け部２５は、このときに位置情報に関する情報が付加されていない写真画像が探索されると、当該写真画像の撮影日時と、記憶部１３の位置情報記憶領域に格納されている位置情報に関連付けられた受入日時情報とを比較する。そして当該探索された写真画像の撮影日時と受入日時情報との差が予め定めた範囲内であり、かつ、当該差が最も小さい受入日時情報に関連付けられた位置情報を取り出す。具体的にこの差の範囲を１５分とし、記憶部１３の画像記憶領域には、８月１日の午後１２時０分に１２枚の連写が行われ、その後の午後１２時１０分にまた１２枚の連写が行われたとする。この場合、各連写の行われるごとに書込み指示がなされるので、書込み指示があった午後１２時０分と、午後１２時１０分のそれぞれのタイミングで要求され、当該要求に応じて取得された位置情報が記録されていることとなる。この場合、午後１２時０分に連写された（撮影日時が午後１２時０分である）写真画像に対しては、関連付けられた受入日時情報が午後１２時０分である位置情報と、午後１２時１０分である位置情報とが予め定めた差の範囲内にある位置情報となる。制御部１２は撮影日時である午後１２時０分に最も近い、午後１２時０分を表す受入日時情報に関連付けられた位置情報を取り出す。
【００３３】
関連付け部２５は、そして、取り出した位置情報に基づいて撮影場所を表す情報を生成し、探索された写真画像に対して当該生成した、撮影場所を表す情報を関連付けて、記憶部１３に格納する（記憶部１３に格納されている当該写真画像を更新する）。
【００３４】
ここで予め定められたタイミングは、最後に写真画像の書込み指示があってから予め定めた時間が経過したとき、あるいは画像情報の読出し指示があったときなど、書込みが行われていないタイミングとする。また、ここではカメラ２が、連写により得られた複数の写真画像を一度の書込み指示で書き込む場合を例としてきたが、カメラ２が連写時に、連写により得られた複数の写真画像を、一つずつ書込み指示する場合、この記憶媒体１の制御部１２は、前回書込み指示があったタイミングからの経過時間（内部クロックをカウントして計時すればよい）に基づき、当該経過時間が予め定めたしきい値を超えない場合は、位置情報の要求を送出しないこととしてもよい。
【００３５】
また記憶媒体１の制御部１２は、写真画像の読出し指示を受け入れると、記憶部１３の画像情報記憶領域に格納されている写真画像を、インタフェース部１１を介して出力する。この場合に制御部１２は、当該読出し要求により記憶部１３の画像記憶領域から読み出される写真画像に対し、読み出しが行われたことを表す情報を付加してもよい。このように読み出しが行われたことを表す情報が付加されている場合は、制御部１２は、関連付け部２５としての処理を行う際に、読み出しが行われたことを表す情報が付加されていない写真画像であって、かつ、位置情報に関する情報が付加されていない写真画像を探索することとする。これにより写真画像の探索処理の負荷が軽減される。
【００３６】
本実施の形態の一例は以上のように構成されており、次の図４に例示するように動作する。カメラ２の連写により得られた複数の写真画像の書込み指示を受けると、記憶媒体１は当該指示に従って複数の写真画像を画像記憶領域に格納する（Ｓ１）。また、この書込み指示があったときに、外部の装置（カメラ２以外の装置、ここでは端末装置３）に対して位置情報を要求する（Ｓ２）。なお、処理Ｓ１にて書き込み指示の対象となった写真画像には、既に述べたように、書き込み指示の日時が含まれ、記録媒体１は、この書き込み指示の日時を、写真画像の受入日時として、以下では扱う。
【００３７】
端末装置３がこの要求に応答して位置情報を送信すると、記憶媒体１は当該位置情報を受信し（Ｓ３）、写真画像の受入日時を表す受入日時情報に関連付けて位置情報記憶領域に格納する（Ｓ４）。その後、記憶媒体１は予め定められたタイミングが到来するまで待機し（Ｓ５）、予め定めたタイミングが到来すると、位置に関する情報が付加されていない写真画像を探索する（Ｓ６）。記憶媒体１は、ここで探索により見出された写真画像の各々について次の処理を行う（Ｓ７：ループ始）。
【００３８】
すなわち記憶媒体１は、探索により見出された写真画像の一つについてその撮影日時を取り出す（Ｓ８）。そして記憶媒体１はこの取り出した撮影日時と、位置情報記憶領域に格納された位置情報に関連付けられた受入日時情報とを比較し、これらの差が予め定めた範囲内であり、かつ最も近いものとなっている受入日時情報を選択する。記憶媒体１は、この選択された受入日時情報に関連付けられた位置情報を取り出す（Ｓ９）。そして記憶媒体１は、取り出した位置情報に基づいて生成される位置に関する情報を、探索により見出された写真画像に付加する（Ｓ１０）。この位置に関する情報は、位置情報そのものであってもよいし、予め定めた方法で処理したものであってもよい。
【００３９】
記憶媒体１は、探索により見出された写真画像のうち、未だ処理していない写真画像について処理Ｓ８から処理Ｓ１０までの処理を繰返して行う（Ｓ１１：ループ終）。処理Ｓ１１にて未だ処理していない写真画像がなければ、記憶媒体１はその処理を終了する。なお、処理Ｓ９において、撮影日時との差が予め定めた範囲内にある受入日時情報に関連付けられた位置情報がなければ、位置情報を取り出さずに処理Ｓ１１に移行してもよい。この場合、当該写真画像には位置に関する情報が付加されない。
【００４０】
さらに本実施の形態では、写真画像の書込み指示があったか否かに関わらず、外部の機器に対して所定タイミングごとに繰返して、位置情報の要求を送出してもよい。この場合記録媒体１は、所定の時点ごと（例えば定期的）に要求に応答して取得された位置情報を位置情報記憶領域に順次記憶しておく。また記録媒体１は、写真画像の書込み指示があったときに当該書込みの対象となった写真画像を識別する識別情報を、この位置情報記憶領域に記憶する。このとき当該識別情報を、それまでに記憶されている位置情報の次の位置に記憶する。そして記録媒体１は、予め決めたタイミングが到来すると、位置情報記憶領域に格納した位置情報に基づいて、位置情報が付加されていない写真画像に対して撮影した位置を表す情報を生成して関連付ける。具体的には、位置情報記憶領域に記憶されている識別情報を参照し、当該識別情報の前後いずれか（予めどちらとするかを決めておけばよい）の位置情報に基づき、当該識別情報で識別される写真画像を撮影した位置を表す情報を生成し、当該識別情報で識別される写真画像に付加する。なお、ここでは位置情報と識別情報との記憶順序によって写真画像とそれを撮影した位置を表す情報の元となる位置情報とを対応付けることとしたが、この対応付けの方法は、撮影日時や書込み指示の日時を用いる方法等、他の方法を採用しても構わない。
【００４１】
また本発明の実施の形態は、ここまでに述べたように、記憶媒体が位置情報を受信して処理する例に限られない。本発明の実施の形態のもう一つの例に係る記憶媒体１′は、図５に例示するように、無線通信手段を介して端末装置３′と通信を行う。そして記憶媒体１′の制御部１２は、図６に示すように、機能的に、画像格納部２１′と、通信制御部２２と、位置情報要求部２３′とを含んで構成されてもよい。ここで既に述べた構成と同様の構成をとるものについては、同じ符号を付してその詳細な説明を省略する。
【００４２】
画像格納部２１′は、撮影された写真画像の書込み指示を受け入れる。そして当該書込み指示に従って、予め定めた方法で固有のキーとなる画像識別情報を発行する。そして当該書込みの対象となった写真画像を、発行した画像識別情報に関連付けて記憶部１３内の所定の画像記憶領域に格納する。本実施の形態の例では、この書込み指示の対象となった写真画像には、撮影日時や書込み指示の日時を表す情報が含まれている。
【００４３】
位置情報要求部２３′は、画像格納部２１′が写真画像の書込み指示を受け入れたときに、通信制御部２２に対して、位置情報の要求を送出させる。ここで位置情報の要求には、画像格納部２１′が発行した画像識別情報を含める。この位置情報要求部２３′の動作により、位置情報の要求が端末装置３′へ送信される。端末装置３′においてこの要求に応答した処理として、位置情報を取得することになる。
【００４４】
本実施の形態のこの例では、端末装置３′は、記録媒体１′から画像識別情報を含む位置情報の要求を受信すると、この要求に応答して位置情報を取得する。そして端末装置３′は、当該取得した位置情報に対して、位置情報の要求に含まれていた画像識別情報を関連付けて記録する（図７）。
【００４５】
その後、パーソナルコンピュータやスマートフォン等（以下パーソナルコンピュータ等という）で記憶媒体１′から写真画像を取得し、また、端末装置３′から位置情報と画像識別情報とを関連付けた情報を取得して、次の処理を行う。すなわちパーソナルコンピュータ等にて、取得した写真画像の一つを注目画像として、この注目画像を識別する画像識別情報と同じ画像識別情報に関連付けられた位置情報を、端末装置３′から取得した情報のうちから検索する。そしてパーソナルコンピュータ等は、この検索により見出された位置情報に基づいて、注目画像が撮影された位置の情報を生成する。この生成した情報は、注目画像に付加されてもよい。
【００４６】
なお、ここで画像識別情報は例えば写真画像のファイル名であってもよい。また、この画像識別情報は、所定のタイミングごとに発行され、発行ごとに互いに異なる識別情報（具体的には記録媒体１′に固有な情報（装置ＩＤ等）と日時の情報との組等）であってもよい。
【００４７】
またここまでの説明では、記憶媒体１，１′は、写真画像の書込み指示を受け入れたタイミングで、外部の装置に位置情報の取得を要求することとしていた。この例では、例えばパーソナルコンピュータ等から、事前に撮影されていた写真画像を書き込む際にも、外部の装置に位置情報の取得を要求することとなる。これが好ましくない場合は、例えば制御部１２において、受け入れた写真画像に含まれる撮影日時と書込み指示の日時（最終更新日時）とを比較し、これらの差が予め定めたしきい値（例えば１０秒）以内である場合に限って、位置情報の要求を行うこととしてもよい。またインタフェース部１１に接続されている機器が識別可能な場合は、接続されている機器がカメラ２である場合に限って位置情報の要求を行うこととしてもよい。
【００４８】
さらにここまでの説明においては、書込み指示された画像情報に対して撮影した位置を表す情報を付加するのは、記憶媒体１または、記憶媒体１乃至１′から画像情報を読み出したパーソナルコンピュータ等であるものとしたが、本実施の形態はこれに限らず、例えば記憶媒体１が位置情報の要求を送出する際に、外部の装置に対して写真画像の情報を送出し、外部の装置にて位置情報を取得して撮影した位置を表す情報を付加させ、当該撮影した位置を表す情報が付加された写真画像を再び記憶媒体１にて受け入れて格納するようにしてもよい。
【００４９】
本実施の形態によると、連写時においても書込みのタイミングで位置情報が要求され、あるいは、書込みのタイミングで写真画像を識別する情報が送信されて位置情報が要求されることとなり、連写のように写真画像の書込み処理に負担がかかる場合に、位置情報の付加や記録といったさらなる負荷の係る処理を後で行うことができるようになる。これにより、連写に配慮した処理が実行できる。また位置情報の要求は、記録媒体１，１′と無線通信手段により通信可能な範囲にある端末装置３，３′にて処理されるので、一般に、記録媒体１，１′近傍の位置情報が取得できる。なお、記録媒体１と端末装置３との間の通信プロトコルを予め規定しておき、他の情報にアクセスできないようにしておくなどすれば、必ずしもこれらを同じ人物が所持しておく必要はなくなる。例えばカメラ２で撮影したときに、たまたま近くにいた他人の携帯電話機から位置情報を取得するといったことが可能となる。
【符号の説明】
【００５０】
１，１′  記録媒体、２  カメラ、３，３′  端末装置、１１  インタフェース部、１２  制御部、１３  記憶部、１４  通信部、２１，２１′  画像格納部、２２  通信制御部、２３，２３′  位置情報要求部、２４  位置情報格納部、２５  関連付け部。
【図１】
2014081692.tif 000003
【図２】
2014081692.tif 000004
【図３】
2014081692.tif 000005
【図４】
2014081692.tif 000006
【図５】
2014081692.tif 000007
【図６】
2014081692.tif 000008
【図７】
2014081692.tif 000009